(57)【要約】【課題】腰部に対して効果的なマッサージを行うことができるマッサージ機を提供する。【解決手段】座部１と、この座部１の後側に設けられていると共にマッサージ効果を与える施療具５を腰に対応する位置に有する背もたれ部３と、座部１の前側に設けられていると共に上下回動動作する脚載置部２とを備えている。脚載置部２は被施療者の足裏に当接する足裏押し当て部４を有している。足裏押し当て部４は、脚載置部２が上昇した前方突出状態で被施療者の足裏に当接し被施療者を足裏から後方の背もたれ部３側へ押すことができる。【選択図】      図５
2006204334.tif 000002
【特許請求の範囲】
【請求項１】
座部と、この座部の後側に設けられていると共にマッサージ効果を与える施療具を有する背もたれ部と、前記座部の前側に設けられていると共に当該座部の前部側を中心とした上下回動動作をして前方突出状態と垂れ下がり状態とに変化可能とされた脚載置部と、を備えたマッサージ機であって、前記脚載置部は、当該脚載置部が前方突出状態で被施療者の足裏に当接し当該被施療者を足裏から後方の前記背もたれ部側へ押すための足裏押し当て部を有していることを特徴とするマッサージ機。
【請求項２】
前記施療具は、起立状態にある前記背もたれ部において前記被施療者の腰に対応する位置に配置又は腰に対応する位置に移動可能とされている請求項１に記載のマッサージ機。
【請求項３】
前記被施療者の足裏を前記足裏押し当て部に当接させ前記背もたれ部の前記施療具により腰部のマッサージを行う腰部マッサージ動作を開始させる際に、前記施療具を腰に対応する位置に移動させる制御手段を有している請求項１に記載のマッサージ機。
【請求項４】
腰に対応する位置に配置させ又は腰に対応する位置に移動させた前記施療具と前記足裏押し当て部とは、同一の仮想水平面と交わる高さ位置とされている請求項２又は３に記載のマッサージ機。
【請求項５】
前記脚載置部が前方突出状態で、被施療者の足裏が前記足裏押し当て部に当接している初期位置から、前記足裏押し当て部を前記座部に接近する方向へ移動させかつ当該座部から離れる方向へ移動させる駆動装置を備えている請求項１〜４のいずれかに記載のマッサージ機。
【請求項６】
前記脚載置部が前方突出状態で、前記足裏押し当て部に前記被施療者の足裏を当接させて当該被施療者に膝の屈伸運動をさせるよう当該足裏押し当て部を脚の長さ方向に往復動作させる駆動装置を備えている請求項１〜４のいずれかに記載のマッサージ機。
【請求項７】
前記駆動装置は、前記足裏押し当て部の脚の長さ方向の移動ストロークを変更可能としている請求項５又は６に記載のマッサージ機。
【請求項８】
前記脚載置部は前記被施療者の膝から足先側の部分を掴む掴み具を有し、この掴み具が前記被施療者の膝から足先側の部分を掴んだ状態で、前記駆動装置は前記足裏押し当て部を脚の長さ方向に往復移動させる請求項５〜７のいずれかに記載のマッサージ機。
【請求項９】
前記掴み具は、前記被施療者の足首から足先側の部分を掴む位置に設けられている請求項８に記載のマッサージ機。
【請求項１０】
前記掴み具は、前記被施療者の脚を押圧してマッサージする脚施療具とされている請求項８又は９に記載のマッサージ機。
【請求項１１】
前記駆動装置による前記足裏押し当て部の往復動作と前記背もたれ部の前記施療具によるマッサージ動作とを連動させる制御手段を有している請求項５〜１０のいずれかに記載のマッサージ機。
【請求項１２】
前記足裏押し当て部は前記被施療者の足裏が当接しているか否かを検出する足裏検出センサを有し、前記駆動装置の動作により前記足裏押し当て部が前記座部と離れた位置から接近する方向へ移動し、当該足裏押し当て部に足裏が当接したことを前記足裏検出センサによって検出すると、前記駆動装置の動作を停止させて前記足裏押し当て部の位置を設定させる制御手段を有している請求項５〜１１のいずれかに記載のマッサージ機。
【請求項１３】
前記足裏押し当て部は左右２分割とされており、この左右夫々の足裏押し当て部は前記駆動装置により独立して動作可能とされている請求項５〜１２のいずれかに記載のマッサージ機。
【請求項１４】
前記背もたれ部は起立状態と後方倒れ状態とに変化可能とされ、前記被施療者の足裏を前記足裏押し当て部に当接させ前記背もたれ部の前記施療具により腰部のマッサージを行う腰部マッサージ動作を開始させる際に、前記背もたれ部を起立状態とさせると共に前記脚載置部を前方突出状態に自動的にさせる制御手段を有している請求項２〜１３のいずれかに記載のマッサージ機。
【発明の詳細な説明】
【技術分野】
【０００１】
この発明は、マッサージ機に関する。
【背景技術】
【０００２】
椅子型のマッサージ機において、被施療者が座る座部と、座部の後側に設けられていると共にマッサージ効果を与える施療具を有する背もたれ部と、座部の前側に設けられている脚載置部とを備えたものが知られている。
そして、脚載置部が被施療者の脚の長さ方向に移動可能とされているものが、例えば特許文献１、特許文献２にある。
特許文献１に記載されているマッサージ機は、脚載置部を前後にスライド移動させ、身長差による施療部位のずれを解消できるよう構成されている。また、特許文献２に記載されているマッサージ機は、脚載置部に設けられたエアにより膨張する袋体が、被施療者の大腿部乃至ふくらはぎ部を挟み、脚載置部が前方へ移動して脚を伸長させることができる。また、特許文献３に示すように、被施療者の膝よりも下の脚部を固定してアキレス腱が延びる方向に足裏を押さえる運動器具がある。
【０００３】
【特許文献１】特開平１１−２９０４０９号公報
【特許文献２】特開平８−３２２８９５号公報
【特許文献３】特開２００４−８９６７２号公報
【発明の開示】
【発明が解決しようとする課題】
【０００４】
特許文献１、特許文献２のような従来知られている椅子型のマッサージ機は、背もたれ部を起立状態とした状態で、背もたれ部の施療具により被施療者の上半身に対してマッサージ効果を与える場合、腰部に対する効果は腰部より上の背中部に対する効果に比べて弱くなるという問題点を有している。これは人が背もたれ部のある椅子に座った姿勢では、上半身の体重が背中部において背もたれ部に作用するため、施療具が背中部を強く押圧できるが、腰部は背もたれ部に対して体重をかけてもたれる状態にはならないため、起立状態の背もたれ部の施療具は腰部に対して強く押圧することができないからである。
【０００５】
また、特許文献１と特許文献２に記載されているマッサージ機は、被施療者の脚をその長手方向に移動可能とされているが、この移動により被施療者を背もたれ部側の後方へ押して上半身の（特に腰への）マッサージ効果を高めるものではない。
特許文献３の運動器具は、被施療者のふくらはぎを固定して膝から下部分のみの伸張運動を行わせるものである。つまり、従来のマッサージ機や運動器具の脚載置部は、脚部に対して単独のマッサージ効果を与えるためだけのものであり、脚載置部を背もたれ部の施療具と関連させてマッサージ効果を高めるものではない。
そこでこの発明は、前記問題点に鑑みてなされたものであり、腰部に対して効果的なマッサージを行うことができるマッサージ機を提供することを目的とする。
【課題を解決するための手段】
【０００６】
前記目的を達成するためのこの発明のマッサージ機は、座部と、この座部の後側に設けられていると共にマッサージ効果を与える施療具を有する背もたれ部と、前記座部の前側に設けられていると共に当該座部の前部側を中心とした上下回動動作をして前方突出状態と垂れ下がり状態とに変化可能とされた脚載置部とを備えたマッサージ機であって、前記脚載置部は、当該脚載置部が前方突出状態で被施療者の足裏に当接し当該被施療者を足裏から後方の前記背もたれ部側へ押すための足裏押し当て部を有していることを特徴としている。
このような構成のマッサージ機によれば、脚載置部の足裏押し当て部に被施療者が足裏を当接させて脚を突っ張ることにより、背もたれ部の施療具に上半身を押し付けることができ、この施療具により効果的なマッサージが行える。被施療者の意思により脚の突っ張り力を調整することで、施療具への押し付け力の強弱を調整することができ、所望のマッサージが行える。
【０００７】
また、前記施療具は、起立状態にある前記背もたれ部において前記被施療者の腰に対応する位置に配置又は腰に対応する位置に移動可能とされているのが好ましい。従来のマッサージ機では、背もたれ部を起立状態とした状態で、背もたれ部の施療具により被施療者の上半身に対してマッサージ効果を与える場合、腰部に対する効果は背中部に対する効果に比べて弱くなるという問題点を有しているが、この構成によれば、これを解決できる。即ち、脚載置部の足裏押し当て部に被施療者が足裏を当接させて脚を突っ張ることにより、背もたれ部のうち腰に対応する位置に配置させた施療具に腰を押し付けることができ、従来では困難であった腰に対する強いマッサージが可能となる。
【０００８】
または、前記被施療者の足裏を前記足裏押し当て部に当接させ前記背もたれ部の前記施療具により腰部のマッサージを行う腰部マッサージ動作を開始させる際に、前記施療具を腰に対応する位置に移動させる制御手段を有しているのが好ましい。これにより、腰部マッサージコースが選択された場合、又は、他の部位のマッサージコースから続いて腰部マッサージースが開始されると、自動的に腰に対応する位置に施療具を移動させることができる。従って、（前記のとおり）従来では困難であった腰に対する強いマッサージが可能となる。
さらに、被施療者は複雑な操作を行うことなく、背もたれ部の施療具により簡単に腰部へのマッサージ動作を開始することができる。つまり、運転を操作する押しボタン等を有する操作器の操作により、上下移動可能とされた施療具を降下させて腰部に対応する位置に調整してから、マッサージ開始動作を始めさせるといった複雑な操作は不要となる。
【０００９】
また、この場合において、腰に対応する位置に配置させ又は腰に対応する位置に移動させた前記施療具と前記足裏押し当て部とは、同一の仮想水平面と交わる高さ位置とされているのが好ましい。これにより、施療具による腰へのマッサージ効果をより一層高めることができる。また、下半身が水平状となるため、脚には被施療者の体重が作用しないため、無駄な力を必要とせずに脚を突っ張ることができ、施療具によるマッサージが行える。
【００１０】
また、前記脚載置部が前方突出状態で、被施療者の足裏が前記足裏押し当て部に当接している初期位置から、前記足裏押し当て部を前記座部に接近する方向へ移動させかつ当該座部から離れる方向へ移動させる駆動装置を備えているのが好ましい。
この構成によれば、足裏押し当て部を初期位置から座部に接近する方向（後方）へ移動させると、上半身を背もたれ部の施療具に押し付けることができ、また、足裏押し当て部を座部から離れる方向（前方）へ移動させると、上半身の施療具への押し付けを緩めることができ、強弱のあるマッサージが可能となる。また、この強弱は施療具が前後方向に移動していなくても変化させることができる。
【００１１】
または、前記脚載置部が前方突出状態で、前記足裏押し当て部に前記被施療者の足裏を当接させて当該被施療者に膝の屈伸運動をさせるよう当該足裏押し当て部を脚の長さ方向に往復動作させる駆動装置を備えているのが好ましい。
この構成によれば、足裏押し当て部を座部に接近する方向（後方）へ移動させると、脚の屈曲動作と共に上半身を背もたれ部の施療具に押し付けることができ、また、足裏押し当て部を座部から離れる方向（前方）へ移動させると、脚が伸張動作して上半身の施療具への押し付けを緩めることができ、強弱のあるマッサージが可能となる。また、この強弱は施療具が前後方向に移動していなくても変化させることができる。さらに、自動的に脚を屈伸させることができ、脚の伸張・屈伸運動が行える。
【００１２】
また、この場合において、前記駆動装置は、前記足裏押し当て部の脚の長さ方向の移動ストロークを変更可能としているのが好ましく、これにより身長の差による屈伸量の差を調整することができる。また、屈伸運動量の調整ができ、膝への負担を抑えることができる。
【００１３】
また、前記脚載置部は前記被施療者の膝から足先側の部分を掴む掴み具を有し、この掴み具が前記被施療者の膝から足先側の部分を掴んだ状態で、前記駆動装置は前記足裏押し当て部を脚の長さ方向に往復移動させるのが好ましい。この構成によれば、足裏押し当て部が座部から離れる方向（前方）へ移動した場合に、被施療者が自力で脚を伸ばす動作をすることなく、屈曲した状態の脚を伸張させることができる。また、足裏押し当て部が前方へ移動することで脚のストレット運動によるマッサージを行わせる。
【００１４】
さらには、前記掴み具が、前記被施療者の足首から足先側の部分を掴む位置に設けられているのが好ましく、これにより、足首から下の部分を脚載置部に固定することができ、膝の屈伸動作を容易にさせる。
【００１５】
また、前記掴み具は、前記被施療者の脚を押圧してマッサージする脚施療具とされているのが好ましい。これによれば、脚施療具を掴み具として利用することで、別途掴み具を設ける必要がない。従って、部品点数を減少させ構成を簡素化させる。
【００１６】
また、前記駆動装置による前記足裏押し当て部の往復動作と前記背もたれ部の前記施療具によるマッサージ動作とを連動させる制御手段を有しているのが好ましい。この構成によれば、背もたれ部の施療具によるマッサージの強弱に幅を持たせることができる。施療具による微弱な押圧から強い押圧までを連続的に変化させることができる。
【００１７】
また、前記足裏押し当て部は前記被施療者の足裏が当接しているか否かを検出する足裏検出センサを有し、前記駆動装置の動作により前記足裏押し当て部が前記座部と離れた位置から接近する方向へ移動し、当該足裏押し当て部に足裏が当接したことを前記足裏検出センサによって検出すると、前記駆動装置の動作を停止させて前記足裏押し当て部の位置を設定させる制御手段を有しているのが好ましい。
この構成によれば、足裏押し当て部が被施療者の足裏に当接するまで足裏押し当て部が移動するため、足裏押し当て部の位置調整を簡単かつ適切に行える。また、このマッサージ機に被施療者が座ってからこの制御手段による動作を行わせることにより、足裏押し当て部の初期位置を自動的に設定することができる。
【００１８】
また、前記足裏押し当て部は左右２分割とされており、この左右夫々の足裏押し当て部は前記駆動装置により独立して動作可能とされているのが好ましい。この構成によれば、背もたれ部の施療具に腰や背中を左右交互に強く押し付けることができる。
【００１９】
また、前記背もたれ部は起立状態と後方倒れ状態とに変化可能とされ、前記被施療者の足裏を前記足裏押し当て部に当接させ前記背もたれ部の前記施療具により腰部のマッサージを行う腰部マッサージ動作を開始させる際に、前記背もたれ部を起立状態とさせると共に前記脚載置部を前方突出状態に自動的にさせる制御手段を有しているのが好ましい。
この構成によれば、被施療者は複雑な操作を行うことなく、背もたれ部の施療具により簡単にマッサージ動作を開始することができる。つまり、運転を操作する押しボタン等を有する操作器の操作により、上下回動可能とされた脚載置部を上昇させて前方突出状とさせ、そして、リクライニング可能な背もたれ部を起立状態とさせ、そしてマッサージ開始動作を始めさせるといった複雑な操作は不要となる。
【発明の効果】
【００２０】
本発明のマッサージ機によれば、背もたれ部の施療具に上半身を強く押し付けることができるため、効果的なマッサージが可能となる。特に、起立状態とさせた背もたれ部の施療具により腰部に対して良好なマッサージを行うことができる。
【発明を実施するための最良の形態】
【００２１】
以下、この発明の実施の形態について添付図面を参照しながら説明する。
図１はこの発明の実施の一形態に係るマッサージ機を示す斜視図であり、図２と図３はその側面図である。このマッサージ機は椅子型であり、被施療者が座る座部１を備え、座部１の下方にはマッサージ機全体を支持する支持脚１１を備えている。また、座部１の左右両側には肘掛け部１２が設けられている。
【００２２】
座部１の後側には背もたれ部３が設けられており、背もたれ部３は被施療者の上半身にマッサージ効果を与える施療具５を有している。背もたれ部３は、座部１の後部側を中心として上下回動するリクライニング機能を有しており、図２の実線により示す後方に（鉛直面との成す角度が小さく）傾斜した起立状態から、二点鎖線により示すほぼ水平状の後方倒れ状態とに無段階で変化可能とされている。さらには、任意の位置（角度）で停止できる。背もたれ部３のリクライニングは、図示しない電動モータ等を有するリクライニング駆動装置によって自動的に行われる。なお、この駆動装置は流体シリンダ又はエアの給排により膨張・収縮するエアセル等によって構成することもできる。
【００２３】
また、座部１の前側には脚載置部（フットレスト）２が設けられており、脚載置部２は、座部１の前部側を中心とした上下回動動作をして図３の上昇した前方突出状態と図２の降下した垂れ下がり状態とに変化可能とされている。さらには、任意の位置（角度）で停止できる。この脚載置部２は、座部１の前側に取り付けられた支持装置１３と、この支持装置１３に支持されている脚載置本体１４とによって構成されている。
【００２４】
脚載置部２の支持装置１３の上端部が座部１の前部と連結されており、脚載置部２は水平方向の軸心回りに上下方向回動自在とされている。脚載置部２の座部１に対する位置（角度）は任意に変更可能とされている。脚載置部２の上下回動は、脚載置部２の背後（後方）に、より具体的には支持装置１３の背後に配置させた上下回動駆動装置としての駆動用エアセル１５にエアを給排して膨脹・収縮させることによって行われる。つまり、エアセル１５が膨脹すると図３に示すように脚載置部２が上昇し、エアセル１５が収縮すると脚載置部２が降下する。なお、上下回動駆動装置はこれ以外に流体シリンダ又は電動モータ等によって構成することもできる。
【００２５】
背もたれ部３には施療具（マッサージ部）５が設けられている。背もたれ部３の施療具５はモータ駆動の複数の施療子（揉み玉）５ａを備えたものであり、叩き・揉み・振動などのマッサージを被施療者に施すことができる。この施療具５は背もたれ部３の左右方向中央部に設けられており、背もたれ部３の左右側部には、エアの給排によって膨脹・収縮し被施療者に押圧マッサージを施すマッサージ用のエアセルによって構成された施療具を有している。
座部１の上面にも施療具１６が設けられている。座部１の施療具１６はエアの給排によって膨脹・収縮し、被施療者に押圧マッサージを施すマッサージ用のエアセルによって構成されている。エアセルは、被施療者の臀部及び大腿に押圧マッサージを施すように配置されている。
【００２６】
脚載置部２の脚載置本体１４は、被施療者の脚（ここでは「脚」には足首より先の「足」を含む）が載せられる複数（図示のものでは２つ）の脚保持部材１７，１８を、脚の長さ方向に並べて構成されている。なお、以下では、座部１に近い方を第１脚保持部材１７とし、座部３から遠い方を第２脚保持部材１８という。
図４は脚載置部２が水平となるまで前方突出状に上昇した状態にある脚載置本体１４の平面図であり、第１脚保持部材１７は被施療者の脚のふくらはぎ付近が載せられるものであり、ふくらはぎ付近が載せられる底面部１７ａと、底面部１７ａの左右両側から立設された側面部１７ｂ，１７ｂとを備えている。すなわち、第１脚保持部材１７は断面Ｕ字状に形成されており、左右側面部１７ｂ，１７ｂの間に両脚を入れることができるようになっている。
【００２７】
第２脚保持部材１８は被施療者の足が載せられるものであり、かかと（及び足首）付近が載せられる底面部１８ａと、底面部１８ａの左右両側から立設された側面部１８ｂ，１８ｂと、底面部１８ａの先端側から直角に設けられた足裏押し当て部４とを備えている。そして、左右側面部１８ｂ，１８ｂの間に両足を入れることができるようになっており、足を入れた状態で被施療者の足裏が足裏押し当て部４の足裏押し当て面４ａに当接可能となる。
【００２８】
足裏押し当て部４は、図３に示すように脚載置部２が前方突出状態で、足裏押し当て部４の先端が上部で後端が下部の鉛直状（鉛直面との成す角度が４５°より小さい状態、好ましくは鉛直面との成す角度が３０°より小さいほぼ鉛直状）の足裏押し当て面４ａを構成し、図２に示すように脚載置部２が垂れ下がり状態で、先端と後端とがほぼ同一高さの水平状（水平面との成す角度が２０°より小さいほぼ水平状）の足裏押し当て面４ａを構成する。なお、本発明において前方向はこの椅子型マッサージ機に被施療者が座った状態で被施療者の前方側であり、後方向はその反対の方向である。
【００２９】
脚載置部２には図４に示すように足施療具８が設けられており、脚載置部２の足施療具８はエアの給排によって膨脹・収縮し、被施療者の脚に押圧マッサージを施すマッサージ用のエアセルによって構成されている。エアセルは、第１脚保持部材１７の底面部１７ａに左右２ヵ所及び両側面部１７ｂ，１７ｂ、並びに第２脚保持部材１８の底面部１８ａの左右部に夫々２ヵ所の計４ヵ所、両側面部１８ｂ，１８ｂ及び足裏押し当て面４ａに配置されており、足の側面や足裏を押圧マッサージできるようになっている。
【００３０】
そして図５に示すように、脚載置部２の足裏押し当て部４は、脚載置部２が前方突出状態で被施療者の足裏に当接して被施療者を足裏から後方の背もたれ部３側へ押すことができる。つまり、足裏押し当て部４に被施療者が足裏を当接させて脚を突っ張ることにより、背もたれ部３の施療具５に上半身を押し付けることができ、この施療具５により効果的なマッサージが行える。そして、施療具５は、起立状態にある背もたれ部３において、被施療者の腰に対応する位置に予め配置されている場合と、腰に対応する位置に移動可能とされている場合とがある。
【００３１】
この施療具５は、モータ駆動により叩き・揉み・振動などのマッサージを被施療者に施すことができる施療子５ａを有しているが、施療具５は背もたれ部３において長手方向（背もたれ部３が起立状態で上下方向、背もたれ部３が倒れた状態で前後方向）に自動的に又は位置選択により移動可能とされている。そして、被施療者の足裏を足裏押し当て部４に当接させた状態で、この足裏押し当て部４を用いて施療具５により腰部のマッサージを行う際は、後述する制御手段１０と施療具５を移動させる駆動装置（図示せず）とにより施療具５を被施療者の腰に対応する位置に移動させる。
または、施療具５はこのように可動式とする以外に固定式とされていてもよく、腰に対応する位置に常に施療具５が存在してもよい。また、この固定式の場合、腰以外に対応する位置に固定式の施療具が存在してもよい。
【００３２】
また図５に示すように、腰部のマッサージを行う際に、脚載置部２が前方突出状態とされ、かつ、背もたれ部３を起立させた状態において、腰に対応する位置に配置させ又は腰に対応する位置に移動させた施療具５と、足裏押し当て部４とは、同一の仮想水平面Ｆと交わる高さ位置に配置されているのが好ましい。つまり、施療具５と足裏押し当て部４とは略同じ高さ位置となるのが好ましい。なお、仮想水平面Ｆと交わる高さ位置とは、言い換えると足裏押し当て部４の高さ方向の範囲ｍ内、及び、施療具５の高さ方向範囲ｎ内に、任意に設定された同一の仮想水平面Ｆが存在することをいう。
【００３３】
脚載置本体１４を支持する支持装置１３は、被施療者の脚の長さ方向に伸縮自在に構成されている。すなわち、支持装置１３は座部１の前端に上下回動自在に取り付けられた第１支持部材２１と、この第１支持部材２１に対して被施療者の脚の長さ方向に移動可能とされている２つの第２支持部材２２と第３支持部材２３とを備えており、第２支持部材２２と第３支持部材２３とを第１支持部材２１に対して移動させることで支持装置１３は伸縮され、その長さを変えることができる。これにより、支持装置１３は図２のように収縮した状態から図３のように伸長することができる。
【００３４】
第１支持部材２１、第２支持部材２２、第３支持部材２３は支持装置１３が有するリンク機構２０（図７と図９参照）によって連結されており、支持装置１３が有する伸縮駆動装置６（図８と図１０参照）と前記リンク機構２０により、第２支持部材２２と第３支持部材２３とは第１支持部材２１に対して互いに連動してスライド移動し、かつ任意の位置で位置決めされるように構成されている。伸縮駆動装置６が有する電動モータとネジ送り機構等の構成によって支持装置１３は伸縮され、これにより、支持装置１３に取り付けられた脚載置本体１４が被施療者の脚の長さ方向に沿って伸縮動作する。つまり、第２脚保持部材１８の足裏押し当て部４は座部１に接近・離間するよう直線的に移動することとなる。
【００３５】
脚載置部２の支持装置１３についてさらに説明すると、図７〜図１０は支持装置１３の構成を示す斜視図であり、図７及び図８は最も短縮された状態の支持装置１３を斜め前方及び斜め後方から見た図であり、図９及び図１０は最も伸長された状態の支持装置１３を斜め前方及び斜め後方から見た図である。
【００３６】
第１支持部材２１は、２つの平行な縦長の管部材２４，２４と、２本の管部材２４，２４の上端部分を互いに連結させた連結部材２５と、強度確保のために２つの管部材２４，２４の中間部分の間を渡すように設けられている棒状の補強部材２６を有している。連結部材２５はその中間部分の一面側にリンク機構２０の一端の節部が枢着されている。リンク機構２０は、８本のリンクバーを用いて４節リンクを３つ連続させた構成とされている。
更に、夫々の管部材２４の上部左右外側には枢軸２７が左右横方向へ延びている。この枢軸２７の軸心を中心として第１支持部材２１は座部１に対して上下方向に回動することが可能となっている。
【００３７】
第２支持部材２２は、２つの平行な縦長のスライド棒２８，２８と、両スライド棒２８，２８の下端を連結する横長の連結棒２９とを有している。スライド棒２８は管部材２４にスライド自在に挿入されており、２つのスライド棒２８，２８が一体的に管部材２４，２４に進入及び突出することが可能となっている。また、連結棒２９の中央には縦長のナット部材３０の下端が取り付けられている。ナット部材３０にはねじ棒３１が螺合しており、ナット部材３０の上端からねじ棒３１の上部が突出している。
ねじ棒３１は、第１支持部材２１の連結部材２５の中間部分の他面側にその軸心を中心として回転可能に枢着されている。また、連結部材２５においてねじ棒３１の側方にモータ３２が取り付けられており、モータ３２とねじ棒３１とがベルト及びプーリによって構成された回転伝達機構３３にて連結されている。これにより、モータ３２の出力軸の正逆回転運動がねじ棒３１に伝達され、ねじ棒３１をナット部材３０に進入及び退出させることが可能である。これにより、第２支持部材２２は第１支持部材２１に対して進退する。伸縮駆動装置６は、ナット部材３０とねじ棒３１とモータ３２と回転伝達機構３３とを備えている。
【００３８】
また、ナット部材３０はその外観が棒状となっており、その長手方向中央部分において、リンク機構２０が有する中間の２つのリンクバーが交差した節部が枢軸によって枢着されている。これにより、モータ３２を駆動させることによって第２支持部材２２が前進又は後退し、これに伴ってリンク機構２０が伸長又は短縮することとなる。
【００３９】
また、第１支持部材２１の夫々の管部材２４の対向面の下端から中央部分にかけて、上下に長い切り欠き部３４が設けられている。第２支持部材２２のスライド棒２８の夫々の長手方向中央部分からは連結板３５が内側へ延設されており、この連結板３５にスライド棒２８と平行な丸孔を有するガイド３６が設けられている。このガイド３６に脚載置本体１４の第１脚保持部材１７（図４参照）が取り付けられている。連結板３５は切り欠き部３４を貫通して管部材２４の内側へ突出可能とされており、これによってガイド３６が固定された連結板３５と管部材２４とが干渉することなく、第２支持部材２２のスライド棒２８を第１支持部材２１の管部材２４に進入させることが可能であり、またスライド棒２８を管部材２４から退出させることが可能となっている。
【００４０】
第３支持部材２３は、２つのスライド棒３７，３７と、これに固定された２つの取付部材３８，３８と、スライド棒３７の下部に固定された支持枠３９とを有している。スライド棒３７は、ガイド３６に設けられた丸孔よりも直径が小さい丸棒状をなしており、ガイド３６の丸孔に挿通されている。スライド棒３７の下端は横長の連結部材４０によって連結されている。取付部材３８は前方へ向かった平面部分を有しており、この平面部分に脚載置本体１４の第２脚保持部材１８（図４参照）が取り付けられている。また、第３支持部材２３の取付部材３８の下端外側には車輪４２が枢着されている。
【００４１】
取付部材３８の上部は横長の連結板４１によって連結されており、この連結板４１にはリンク機構２０の下端の節部が枢軸によって枢着されている。従って、伸縮駆動装置６（モータ３２）の駆動によって第２支持部材２２が第１支持部材２１に対してその長手方向へ移動し、リンク機構２０が伸長又は短縮した際に、リンク機構２０の作用により第３支持部材２３は、スライド棒３７がガイド３６によりガイドされて第２支持部材２２に対してその長手方向へ移動する。これにより支持装置１３は全体として伸長又は短縮することとなる。つまり、第３支持部材２３に取り付けた第２脚保持部材１８の足裏押し当て部４が座部１に接近する方向、離間する方向へ移動可能とされている。
【００４２】
次に、このマッサージ機の具体的な動作のうち、主に被施療者の腰部のマッサージを行う腰部マッサージ動作について説明する。
図５に示すように、脚載置部２を前方突出状態とし、足裏押し当て部４に被施療者の足裏を当接させて被施療者が脚を突っ張ることにより、足裏押し当て部４が被施療者を足裏から後方の背もたれ部３側へ押すことにより、背もたれ部３の施療具５が上半身のマッサージを行わせることができる。なお、この際、背もたれ部３は起立状態にある。
または、図５と図６に示すように、脚載置部２を前方突出状態とし、背もたれ部３の施療具５による被施療者のマッサージ作業中に、足裏押し当て部４に被施療者の足裏を当接させて前記伸縮駆動装置６の働きにより被施療者に膝の屈伸運動をさせるよう足裏押し当て部４を脚の長さ方向に往復動作させている。そして、この足裏押し当て部４が被施療者を足裏から後方の背もたれ部３側へ押すことにより背もたれ部３の施療具５により上半身のマッサージが行われる。
つまり、伸縮駆動装置６が伸張動作して図５に示すように、足裏押し当て部４を前方（座部１から離れる方向）へ移動させて被施療者の脚を伸張状態とさせ、伸縮駆動装置６が短縮動作して図６に示すように、足裏押し当て部４を後方（座部１に接近する方向）へ移動させて脚を屈曲状態とさせ、この動作を連続的に行わせている。
【００４３】
この伸縮駆動装置６はマッサージ機が有する制御手段１０と接続されており、操作器１９（図１）の押しボタン等の操作により制御手段１０が作用して伸縮駆動装置６の伸縮ストロークを変更させている。つまり、この駆動装置６は、足裏押し当て部４の脚の長さ方向の移動ストロークを変更可能とさせている。具体的には駆動装置６のモータ３２の反転時期、反転周期を変更することにより行われる。
【００４４】
また、駆動装置６が足裏押し当て部４を脚の長さ方向に往復移動させる際には、脚載置部２において掴み具７により被施療者の膝から足先側の部分を掴んだ状態で行っている。つまり、図４に示すように、脚載置部２は被施療者の膝から足先側の部分を掴む掴み具７を有している。また、この掴み具７は、被施療者の足首から足先側の部分を掴む位置に設けられているのが好ましい。従って、掴み具７は第２脚保持部材１８に設けられているのが好ましい。なお、掴み具７は、脚を固定させるために専用の治具を取り付けてもよいが、掴み具７を被施療者の脚を押圧してマッサージする脚施療具８とすることができる。つまり、脚施療具８は図４に示すように足を左右両側から挟むよう配置されており、具体的に説明すると、第２脚保持部材１８の脚施療具８は、被施療者の足に押圧マッサージを施すマッサージ用のエアセル４３，４４によって構成されており、エアセル４３，４４にエアを供給することで左右両側のエアセル４３，４４が膨張して足を両側から挟むよう押圧することにより、足は足裏押し当て部４（第２脚保持部材１８）に対して固定される。
【００４５】
また、脚載置部２はその先端部の左右両側に車輪４２，４２を備えている。車輪４２は脚載置部２が垂れ下がり状態のときに（鉛直下向き又は下向き傾斜しているときに）床面に転がり接触するように支持装置１３の第３支持部材２３の先端部に設けられている。これにより、脚載置部２が垂れ下がり状態のときに脚載置部２の先端部が床面に当たっても、実際には車輪４２が床面を転動するため床面を傷付けることを防止できるとともに、脚載置部２の先端部は床面に沿って滑らかに移動することができる。
【００４６】
図１１はマッサージ機における制御ブロックを示しており、マッサージ機は、背もたれ部３のリクライニング駆動装置５１、脚載置部２の上下回動駆動装置５２、脚載置部２の伸縮駆動装置６、施療具駆動装置５３の動作を制御する制御手段１０を備えている。また、制御手段１０にはこれら駆動装置を操作したり各種マッサージコースを選択するための操作器１９と、後述する足裏検出センサ９とが接続されている。操作器１９には、例えば脚載置部２を前方突出状態に上昇させる「フットレスト上げる」等のボタンや、「腰部マッサージコース」等の選択ボタンがある。制御手段１０は例えばＣＰＵ、ＲＯＭ、ＲＡＭ、入出力インターフェース等を有して構成させることができる。
【００４７】
また、この椅子型のマッサージ機に被施療者が座り、このようなマッサージ動作を開始する前に、制御手段１０は、被施療者の足裏に足裏押し当て部４を自動的に接触させた状態とする位置調整機能を有している。具体的に説明すると、まず脚載置部２が垂れ下がり状態（降下状態）にあるマッサージ機に被施療者が座り、操作器１９における操作を開始すると、脚載置部２が上昇しつつ又は上昇した状態で、制御手段１０において足裏押し当て部４に被施療者の足裏が当接していないかの判定処理が行われる。これは、足裏押し当て部４の足裏押し当て面４ａに、被施療者の足裏が当接しているか否かを検出する足裏検出センサ９が設けられており、これによる検出で行われる。そして、脚載置部２の上昇状態で足裏押し当て部４から足裏が離れている場合、伸縮駆動装置６により脚載置部２の収縮動作が行われる。つまり、伸縮駆動装置６の動作により足裏押し当て部４が座部１と離れた位置から接近する方向へ移動する。
そして、足裏押し当て部４に足裏が当接したことを足裏検出センサ９によって検出すると、制御手段１０は伸縮駆動装置６の動作を停止させる。これにより、足裏押し当て部４の初期位置を設定させることができる。
【００４８】
また、足裏押し当て部４に被施療者の足裏が当接していないかの前記判定処理において、足裏が当接していると判定された場合は、一旦足裏押し当て部４を座部１から離れる方向へ移動させ（伸張動作させ）、足裏押し当て部４を座部１と最も離れた位置とし、その位置から座部１に接近する方向へ移動させる。これにより最適な初期位置が得られる。
足裏検出センサ９は面状スイッチとして構成されており、足裏が足裏押し当て部４に当たるとスイッチがＯＮとなり、足裏が離れるとスイッチがＯＦＦとなるものである。
この足裏検出センサ９は、足裏のかかと付近（足裏の後側）が足裏押し当て部４に当接しているか否かを検出できるように配置されており、足裏検出センサ９は、第２脚保持部材１８において足裏押し当て部４の底面部１８ａ寄りの位置に配置されている。これにより、足裏のつま先側を検出する位置に配置されている場合に比べて、より確実に足裏が当接しているか否かを検出できる。
そして、前記腰部マッサージ動作をするために、脚載置部２が垂れ下がり状態から前方突出状態となった際に、被施療者が脚を伸ばした状態で足裏に足裏押し当て部４が当接するように、前記足裏検出センサ９により足裏押し当て部４の位置調整を行っている。
【００４９】
さらに、椅子型のマッサージ機が被施療者に対してマッサージ動作を開始する前に、制御手段１０は、背もたれ部３の施療具５により被施療者の肩位置を自動的に検索する指圧点検索機能を有している。これを具体的に説明すると、例えば、被施療者が背もたれ部２にもたれた状態で、背もたれ部２の施療具５を上下方向移動させる。このとき、施療具５が被施療者に接触していない場合、すなわち施療具５が肩より上方にある場合には施療具５には負荷がかかっていない（又は負荷が小さい）。一方、施療具５が肩位置より下方に移動して被施療者に接触した場合には施療具５に後方への大きな負荷がかかる。このように施療具５に作用する荷重の変化を検知することで、被施療者の肩の高さ位置を検知することができ（指圧点検索動作）、被施療者の身長差（座高差）によるマッサージ位置のずれを解消させることができる。
【００５０】
次に、このマッサージ機によるマッサージ動作の具体的なフローについて説明する。まず、初期動作を図１２により説明すると、マッサージ機に電源が入れられると（ステップＳ１）、操作器１９（図１）における押しボタン等の操作によりマッサージのコースの選択が可能となる（ステップＳ２）。例えば腰部マッサージコースが選択されると、背もたれ部３が動作して鉛直面から後方へ３０°傾斜した起立状態となり（リクライニング動作）、背もたれ部３において被施療者の身長に応じて施療具５の位置を調整する（指圧点検索動作）。さらに、脚載置部２が前方突出状態となり、被施療者の足裏に足裏押し当て部４を接触させた状態とする前記位置調整機能により、脚載置部２の長さが調整され（脚載置部長さ調節）、被施療者の膝が伸びた状態で被施療者の足裏が足裏押し当て部４に当接した状態となる（ステップＳ３）。そして、選択されたマッサージ動作が開始される。
【００５１】
つまり、被施療者が、例えばステップＳ２において操作器１９により「腰部マッサージコース」ボタンを押して腰部マッサージコースを選択していると、制御手段１０の働きにより、腰部のマッサージを行う腰部マッサージ動作を開始させる前に、リクライニング駆動装置５１が動作して背もたれ部３を自動的に起立状態とさせると共に、上下回動駆動装置５２が動作して脚載置部２を自動的に前方突出状態にさせる。さらに、腰部マッサージコースが開始されると、背もたれ部３の施療具５が移動可能式の場合、施療具駆動装置５３が自動的に動作して施療具５を腰に対応する位置に移動させる。つまり、このコースが選択され、開始されると、背もたれ部３と脚載置部２と施療具５を夫々個別に操作することなく自動的にこれらが最適姿勢である所定の状態となる。
【００５２】
腰部マッサージコースは、足裏押し当て部４を伸縮駆動装置６により前後移動させずに被施療者の足裏を足裏押し当て部４に当接させ脚を突っ張ることにより、腰部のマッサージを行う腰部マッサージ動作と、被施療者の足裏を足裏押し当て部４に当接させ、伸縮駆動装置６による脚載置部２の伸縮動作を伴わせて、被施療者を足裏から背もたれ部３側へ押して背もたれ部３の施療具５により腰部のマッサージを行う腰部マッサージ動作があり、被施療者が操作器１９により選択できる。
そして、図１３が脚載置部２の伸縮動作を伴わせて腰をマッサージする腰部マッサージコースを説明する図であり、このコースが選択されて動作が開始されると施療具５が腰に対応する部位へ自動的に移動する（ステップＳ１１）。そして、被施療者が膝を伸ばした状態で足裏が足裏押し当て部４に当接している初期位置から、駆動装置６により足裏押し当て部４を座部１に接近する方向へ移動させて脚載置部２を収縮させ（ステップＳ１２）、施療具５により揉み・叩き・指圧・振動等の動作を行い（ステップＳ１３）、駆動装置６により足裏押し当て部４を座部１から離れる方向へ移動させて脚載置部２を伸張させる（ステップＳ１４）。なお、ステップＳ１３における施療具５の動作は、ステップＳ１２とステップＳ１４と同時に（連続して）行わせるようしてもよい。つまり、脚載置部２が伸縮動作しながら施療具５が動作する。また、ステップＳ１２〜ステップＳ１４を、予め設定した所定回数だけ繰り返し行わせ（ステップＳ１５）、コース終了としてもよい。また、ステップＳ１５が終了してから、背中等の腰以外の他の部位のマッサージを行ってもよい（ステップＳ１６、ステップＳ１７）。さらに他の部位のマッサージ（ステップＳ１７）の後に再び腰部マッサージコースを行ってもよく、施療具５が背中等腰以外の他の部位に移動している場合、自動的に施療具５は腰に対応する位置に移動する（ステップＳ１１）。
【００５３】
また、図１４は他の腰部マッサージコースを説明する図であり、図１３とステップＳ１３が異なる。具体的には、図１３におけるステップＳ１３は、施療具５の施療子（揉み玉）５ａが２次元的又は３次元的に動作して局部的にマッサージを行うのに対して、図１４におけるステップＳ１３ａは、施療具５全体が前後移動して腰全体に対して強弱を与えてマッサージを行うものである。つまり、施療具５は全体として背もたれ部３の内部に設けたレール（図示せず）に沿って移動自在とされており、このステップＳ１３ａでは、施療子５ａと施療子５ａを保持しているベース部材とを含む施療具５全体を前記レールに対して前後移動させることで、背部や腰部を刺激するものである。これによれば、ゆっくりと施療具５を前後させることでソフトでやさしいマッサージを行うことができる。また、図示しないが、さらに他の腰部マッサージコースとして、施療具５全体を前後移動させつつ、施療具５の施療子５ａを２次元又は３次元的に動作させるようしてもよい。また、図１３と図１４のコースにおいて、コースが開始されると、前記掴み具７が被施療者の脚をつかんで脚を保持するようしてもよい。
【００５４】
そして、図１３と図１４における腰部マッサージコースにおいて、制御手段１０は、伸縮駆動装置６による足裏押し当て部４の往復動作と、背もたれ部３の施療具５による電動マッサージ動作とを連動させている。つまり、被施療者の足裏を脚載置部２の足裏押し当て部４に当接させて足裏押し当て部４を前後移動させることにより膝を屈伸動作させながら、腰に対応させた位置とした背もたれ部３の施療具５が、揉み・叩き・指圧・振動などの電動マッサージを被施療者に施している。
【００５５】
さらに、この腰部マッサージ動作は、単独の腰部マッサージコースとして制御手段１０にプログラムを記憶させておいてもよいが、全身マッサージコースの一部に組み込まれるよう制御手段１０により制御させてもよい。そして、全身マッサージコース中において、腰部マッサージのステップが開始される際に、背もたれ部３と脚載置部２と施療具５とを前記所定の状態（姿勢）となるようにしてもよい。
【００５６】
次に、図１５はこのマッサージ機による別のマッサージ動作を説明する図であり、これは、脚載置部２が伸縮駆動装置６により伸縮自在とされていることにより行われるマッサージ動作であり、まず、前記掴み具７により被施療者の脚を掴む（ステップＳ２１）。この際、第２脚保持部材１８に設けた脚施療具８であるエアセル４３，４４（図４参照）により足首から下の部分を掴むのが好ましい。そして、足裏押し当て部４が前記初期位置から座部１へ接近する方向へ移動して脚載置部２を収縮させる（ステップＳ２２）。その後、足裏押し当て部４が座部２から離れる方向へ元の初期位置に移動し脚載置部２を伸張させる（ステップＳ２３）。これにより、被施療者に対して膝の屈伸運動を行わせることができる。そして、このステップＳ２２とステップＳ２３とを、予め設定した所定回数だけ繰り返すことができる（ステップＳ２４）。
【００５７】
さらに、図１６はこのマッサージ機によるさらに別のマッサージ動作を説明する図であり、これは、脚載置部２が伸縮駆動装置６により伸縮自在とされていることにより行われるマッサージ動作であり、まず、前記掴み具７により被施療者の脚を掴む（ステップＳ３１）。この際、第２脚保持部材１８に設けた脚施療具８であるエアセル４３，４４（図４参照）により足首から下の部分を掴むのが好ましい。そして、足裏押し当て部４が前記初期位置から座部１から離れる方向へ移動して脚載置部２を伸張させる（ステップＳ３２）。その後、足裏押し当て部４が座部１へ接近する方向へ元の初期位置に移動し脚載置部２を収縮させる（ステップＳ３３）。これにより、被施療者に対して脚の伸張運動を行わせることができる。そして、このステップＳ３２とステップＳ３３とを、予め設定した所定回数だけ繰り返すことができる（ステップＳ３４）。
【００５８】
なお、図１５と図１６における脚部のマッサージコースにおいて、背もたれ部２の施療具５を動作させることなく、脚部を重点としたマッサージを行っている。または、施療具５も同時に動作させて脚部と腰部のマッサージを同時に行っても良い。
【００５９】
また、伸縮駆動装置６により被施療者の膝を屈伸動作させるよう足裏押し当て部４を脚の長さ方向に往復動作させて行うマッサージの際に、図１７に示すように、左右の脚を交互に屈伸させるようしてもよい。つまり、足裏押し当て部４は左右２分割とされており、この左右夫々の足裏押し当て部４，４は前記伸縮駆動装置６により独立して動作可能とされている。具体的に説明すると、第１脚保持部材１７及び第２脚保持部材１８を左右２分割とさせ、左右の足裏押し当て部４，４を交互に前後させるようしてもよい。この場合は、支持装置１３、往復駆動装置６、リンク機構２０を左右夫々に設けることにより行われる。図１７では、右側の足裏押し当て部４が座部１から離れている状態となって、右脚が伸びた状態にあり、左側の足裏押し当て部４が座部１に接近している状態となって、左脚が屈曲した状態にある。これにより、左右交互に腰に背もたれ部３の施療具５を強く押し付けることができ、さらに、左右交互に膝の屈伸動作がされるため腰にねじり運動を含ませたマッサージを施すことができる。
【００６０】
さらに、本発明のマッサージ機は、図示する形態に限らずこの発明の範囲内において他の形態のものであっても良く、脚載置部２の支持装置１３は、複数の支持部材からなるものに限定されず、１つの支持部材が座部１に対して接近離間移動するものであってもよい。また、足裏検出センサ９は実施形態において例示したものに限らず他の方式によるセンサであってもよい。
【図面の簡単な説明】
【００６１】
【図１】本発明のマッサージ機の実施の一形態を示す斜視図である。
【図２】脚載置部が垂れ下がり状態にあるマッサージ機の側面図である。
【図３】脚載置部が前方突出状態とされたマッサージ機の側面図である。
【図４】水平の前方突出状態とされた状態の脚載置部の平面図である。
【図５】腰部マッサージ動作を説明する側面図である。
【図６】被施療者の膝を屈曲状態とさせたマッサージ機の側面図である。
【図７】短縮された状態の支持装置の前方斜視図である。
【図８】短縮された状態の支持装置の後方斜視図である。
【図９】伸張された状態の支持装置の前方斜視図である。
【図１０】伸張された状態の支持装置の後方斜視図である。
【図１１】マッサージ機における制御ブロックを示す図である。
【図１２】マッサージ機の初期動作を説明するフローチャートである。
【図１３】腰部マッサージコースを説明するフローチャートである。
【図１４】他の腰部マッサージコースを説明するフローチャートである。
【図１５】別のマッサージコースを説明するフローチャートである。
【図１６】さらに別のマッサージコースを説明するフローチャートである。
【図１７】２分割された左右の脚載置部を交互に動作させている状態にあるマッサージ機の側面図である。
【符号の説明】
【００６２】
１  座部
２  脚載置部
３  背もたれ部
４  足裏押し当て部
５  施療具
６  駆動装置（伸縮駆動装置）
７  掴み具
８  脚施療具
９  足裏検出センサ
１０  制御手段
Ｆ  仮想水平面
【図１】
2006204334.tif 000003
【図２】
2006204334.tif 000004
【図３】
2006204334.tif 000005
【図４】
2006204334.tif 000006
【図５】
2006204334.tif 000007
【図６】
2006204334.tif 000008
【図７】
2006204334.tif 000009
【図８】
2006204334.tif 000010
【図９】
2006204334.tif 000011
【図１０】
2006204334.tif 000012
【図１１】
2006204334.tif 000013
【図１２】
2006204334.tif 000014
【図１３】
2006204334.tif 000015
【図１４】
2006204334.tif 000016
【図１５】
2006204334.tif 000017
【図１６】
2006204334.tif 000018
【図１７】
2006204334.tif 000019